(57)【特許請求の範囲】
【請求項１】
液体透過性内層シート、液体不透過性外層シートおよび該内層シートと該外層シートとの間に介在される吸収体を有する本体を備え、該本体は装着時に着用者の腹側に位置する腹側部と、背側に位置する背側部と、股下に位置する股下部とに区分されており、該腹側部と該背側部とのそれぞれの両側縁部を接合固定してウエスト開口部および一対のレッグ開口部を形成してなるショーツ型ナプキンであって、上記ウエスト開口部に複数の弾性材が配されており、上記吸収体と上記内層シートとが肌当接面側から形成された溝部によって部分的に一体化されており、該溝部が上記吸収体の前方部および後方部にそれぞれ形成されており、前方部に形成された溝部は、上記吸収体の長手方向に沿う中心線に関して略対称に２本形成されており、これら２本の溝部は互いに内方に湾曲した曲線形状をなしており、後方部に形成された溝部は、上記中心線に関して略対称で且つその両端が該吸収体の後端部に向かうような曲線状の凸形に形成されているショーツ型ナプキン。
【請求項２】
上記吸収体が、パルプ層と、該パルプ層の一方の面側に配された吸収紙と、該パルプ層の他方の面側に配された液不透過性シートとを具備する、請求項１記載のショーツ型ナプキン。
【請求項３】
上記吸収体の長さが２００〜５００ｍｍであり、幅が５０〜２００ｍｍである、請求項１又は２記載の〜５のショーツ型ナプキン。
【請求項４】
上記外層シートが全体に伸縮性を有する、請求項１〜３の何れかに記載のショーツ型ナプキン。
【請求項５】
請求項１記載のショーツ型ナプキンの製造方法であって、長尺状の液体透過性内層シートと複数の吸収体とを所定間隔をおいて重ね合わせて両者をヒートシールし、該ヒートシールした部分に、該吸収体と該内層シートとが一体化した溝部を形成する工程と、長尺状の液体不透過性外層シートを、上記吸収体が被覆されるように上記内層シートと重ね合わせて重ね合わせ体を形成すると共に、該重ね合わせ体の長手方向両側縁における該外層シートと該内層シートとの間に複数の長尺状弾性材を該重ね合わせ体の長手方向に沿ってそれぞれ配する工程と、上記重ね合わせ体における隣り合う上記吸収体間で、上記内層シートと上記外層シートとを、円又は楕円の形状でヒートシールすると共に、該ヒートシールした部分の内側を打ち抜く工程と、上記重ね合わせ体の長手方向に沿う中心線を折曲線として、該重ね合わせ体を上記内層シート側に折り返す工程と、折り返された上記重ね合わせ体を、隣り合う上記吸収体間において、該重ね合わせ体の幅方向に亘ってヒートシールしてウエスト開口部および一対のレッグ開口部を形成すると共に、該ヒートシールした部分を切断する工程とを具備することを特徴とするショーツ型ナプキンの製造方法。
【発明の詳細な説明】
【０００１】
【発明の属する技術分野】
本発明は、フィット性の向上したショーツ型ナプキンに関するものである。
【０００２】
【従来の技術及び発明が解決しようとする課題】
従来、ショーツ型ナプキン等の吸収性着用物品としては、例えば実開昭６１−７１１１６号公報や特開平２−１４０１６３号公報に記載のもの等が知られている。
【０００３】
上記公報に記載の従来技術についてそれぞれ説明すると、実開昭６１−７１１１６号公報には、紙製のショーツの内部一側に生理用ナプキンを設けてなる生理用品が記載されている。
また、特開平２−１４０１６３号公報には、液体不浸透性の外側カバー、液体浸透性のライナー及びその間の吸収媒体を含む吸収性アセンブリと、該吸収性アセンブリの側縁部の各々に結合した一対の伸縮性のサイドパネルとからなり、該吸収性アセンブリと該サイドパネルとによってウエスト開口部および一対の脚部開口部が形成されている吸収性衣料が記載されている。
【０００４】
しかしながら、上記公報に記載の従来技術には、以下に述べるような欠点があった。
即ち、実開昭６１−７１１１６号公報に記載の生理用品は、紙製のショーツを用いているので、紙に特有のごわごわ感があり、身体の動きに十分に追従し得ないため、十分なフィット性が得られず、ナプキンのヨレやずれに伴う液漏れのおそれがある。また、装着感も快適なものとはいえない。
また、特開平２−１４０１６３号公報に記載の吸収性衣料は、その両側部に伸縮性のサイドパネルを具備しているので、フィット性は高いものの、構成部材が多くなるので製造工程が複雑化すると共に製造コストも高くなってしまう。また、該サイドパネルは透湿性を有していないので着用中に該吸収性衣料内がムレ易くなる。
【０００５】
一方、ヨレやずれを防止したナプキンとしてウイング付きのナプキンが知られているが、ウイング付きナプキンは、装着に比較的手間がかかり、また、一旦ヨレやずれが生じた場合には、ナプキンを適正な形状、位置に戻すことが容易ではない。
【０００６】
従って、本発明の目的は、フィット性が高く、ヨレやずれが起こりにくく、快適な装着感を有し、装着が容易な使い捨てタイプのショーツ型ナプキンを提供することにある。
【０００７】
【課題を解決するための手段】
本発明者らは鋭意検討した結果、特定の外層・内層シートおよび吸収体から構成され、特定のウエスト開口部を有し、該内層シートと該吸収体とが一体化された吸収性着用物品により上記目的が達成され得ることを知見した。
【０００８】
本発明は上記知見に基づきなされたもので、液体透過性内層シート、液体不透過性外層シートおよび該内層シートと該外層シートとの間に介在される吸収体を有する本体を備え、該本体は装着時に着用者の腹側に位置する腹側部と、背側に位置する背側部と、股下に位置する股下部とに区分されており、該腹側部と該背側部とのそれぞれの両側縁部を接合固定してウエスト開口部および一対のレッグ開口部を形成してなるショーツ型ナプキンであって、上記ウエスト開口部に複数の弾性材が配されており、上記吸収体と上記内層シートとが肌当接面側から形成された溝部によって部分的に一体化されており、該溝部が上記吸収体の前方部および後方部にそれぞれ形成されており、前方部に形成された溝部は、上記吸収体の長手方向に沿う中心線に関して略対称に２本形成されており、これら２本の溝部は互いに内方に湾曲した曲線形状をなしており、後方部に形成された溝部は、上記中心線に関して略対称で且つその両端が該吸収体の後端部に向かうような曲線状の凸形に形成されているショーツ型ナプキンを提供することにより上記目的を達成したものである。
【０００９】
また、本発明は、上記ショーツ型ナプキンの好ましい製造方法として、長尺状の液体透過性内層シートと複数の吸収体とを所定間隔をおいて重ね合わせて両者をヒートシールし、該ヒートシールした部分に、該吸収体と該内層シートとが一体化した溝部を形成する工程と、長尺状の液体不透過性外層シートを、上記吸収体が被覆されるように上記内層シートと重ね合わせて重ね合わせ体を形成すると共に、該重ね合わせ体の長手方向両側縁における該外層シートと該内層シートとの間に複数の長尺状弾性材を該重ね合わせ体の長手方向に沿ってそれぞれ配する工程と、上記重ね合わせ体における隣り合う上記吸収体間で、上記内層シートと上記外層シートとを、円又は楕円の形状でヒートシールすると共に、該ヒートシールした部分の内側を打ち抜く工程と、上記重ね合わせ体の長手方向に沿う中心線を折曲線として、該重ね合わせ体を上記内層シート側に折り返す工程と、折り返された上記重ね合わせ体を、隣り合う上記吸収体間において、該重ね合わせ体の幅方向に亘ってヒートシールしてウエスト開口部および一対のレッグ開口部を形成すると共に、該ヒートシールした部分を切断する工程とを具備することを特徴とするショーツ型ナプキンの製造方法を提供するものである。
【００１０】
【発明の実施の形態】
以下、本発明をその好ましい実施形態に基づき図面を参照して説明する。ここで、図１は、本発明の一実施形態のショーツ型ナプキンの斜視図であり、図２は、図１に示すショーツ型ナプキンの組立前の状態を内層シート側から見た一部破断展開図であり、図３は、図２におけるａ−ａ線断面図である。
【００１１】
図１〜図３に示すショーツ型ナプキン１は、液体透過性内層シート２、液体不透過性外層シート３および該内層シート２と該外層シート３との間に介在され、排泄物を吸収・保持する吸収体４を有する本体５を備えている。該内層シート２及び該外層シート３は略同寸であり、展開状態において（図２参照）その長手方向に沿う左右側縁部の中央部分がそれぞれ内方に湾曲するように切り欠かれており、全体として砂時計形状をなしている。
【００１２】
上記本体５は、装着時に着用者の腹側に位置する腹側部Ａと、背側に位置する背側部Ｂと、股下に位置する股下部Ｃとに区分されている。該腹側部Ａ、該背側部Ｂ及び該股下部Ｃは、ショーツ型ナプキン１の長手方向に沿う中心線Ｉに関して略対称に形成されている（尚、この中心線Ｉは、吸収体４における長手方向に沿う中心線でもある）。
【００１３】
図２に示す上記本体５における上記腹側部Ａの両側縁部Ａ１，Ａ２と、上記背側部Ｂの両側縁部Ｂ１，Ｂ２とは、それぞれヒートシールによって部分的に接合固定されて、図１に示す接合固定部６，６’を形成しており、これによってショーツ型ナプキン１にウエスト開口部７および一対のレッグ開口部８，８’が形成されている。
【００１４】
上記ウエスト開口部７における上記内層シート２と上記外層シート３との間には、該ウエスト開口部７の全周に亘って且つ該ウエスト開口部７の周縁に沿って、一本又は複数本の弾性材９，９’がホットメルト等の固定手段によって互いに略平行に伸長状態で固定されている。これによって、上記ウエスト開口部７を形成した際には、上記弾性材９，９’は、該ウエスト開口部７の周縁に沿って連続して配置されることになる。そして、該弾性材９，９’の収縮力によって該ウエスト開口部７の全周に亘ってウエストギャザーが形成されるようになされている。斯かるウエストギャザーによって、ショーツ型ナプキン１の装着中のフィット性が高まり、液漏れが効果的に防止される。
上記弾性材９，９’としては、糸ゴム、平ゴム、フィルムタイプのゴム、テープ状のポリウレタン等公知の弾性材料が用いられ、少なくとも２本（本実施形態においては３本）用いられる。
【００１５】
図２に示すように、上記吸収体４と上記内層シート２とは部分的にヒートシールされており、該ヒートシールされた部分に該吸収体４と該内層シート２とが一体化した溝部１０，１０’が該内層シート２側（即ち、ショーツ型ナプキン１における肌当接側）から形成されている。該吸収体４と該内層シート２とを一体化させることによって、ショーツ型ナプキン１の装着中に該吸収体４がヨレて変形したり、適正な位置からずれることが防止され、液漏れが効果的に防止される。更に、万一、該吸収体４がヨレて変形したり、適正な位置からずれたとしても、ショーツ型ナプキン１の装着位置を修正すれば該吸収体４の形状や位置の修正ができるので、ウイング型ナプキン等に比して形状や位置の修正が容易となる。
【００１６】
上記溝部は、該吸収体４の前方部（即ち、上記腹側部Ａ寄り）および後方部（即ち、上記背側部Ｂ寄り）にそれぞれ形成されている。前方部に形成されている溝部１０は、該吸収体４の長手方向に沿う中心線Ｉに関して略対称に２本形成されており、これらの溝部１０は互いに内方へ湾曲した曲線形状をなしている。また、後方部に形成されている溝部１０’も該吸収体４の長手方向に沿う中心線Ｉに関して略対称で且つその両端が該吸収体４の後端部に向かうような曲線状の凸形に形成されている。
【００１７】
上記吸収体４の前方部に形成されている溝部１０，１０は、ショーツ形ナプキン１の装着時に着用者の排泄部位に当接するような位置に配されている。該溝部１０，１０は該吸収体４の折曲線として作用し、ショーツ形ナプキン１の装着時に、該吸収体４における該溝部１０，１０の外方部１０ａ，１０ａ（図２参照）がそれぞれ着用者の身体側または身体とは反対側に折曲すると共に、該溝部１０，１０間の吸収体１０ｂ（図２参照）が着用者の排泄部位に密着可能な形状となり、排泄物が直接吸収可能なようになされている。
一方、上記吸収体４の後方部に形成されている溝部１０’は、ショーツ形ナプキン１の装着時に着用者の臀部に当接するような位置に配されている。該溝部１０’も該吸収体４の折曲線として作用し、ショーツ形ナプキン１の装着時に、該吸収体４における該溝部１０’で囲まれた部分１０ｃ（図２参照）が着用者の臀部に密着可能な形状となり、着用者が横臥した際に、着用者の排泄部位から臀部へ向かって流下してくる排泄物が吸収可能なようになされている。
【００１８】
このように、上記吸収体４の前方部に形成されている溝部１０，１０によって、排泄部位からの排泄物を直接吸収（一次吸収）する部分が該吸収体４中に容易に形成される。また、該吸収体４の後方部に形成されている溝部１０’によって、排泄部位から臀部へ向かって流下してくる排泄物を間接的に吸収（二次吸収）する部分が吸収体４中に容易に形成される。その結果、多量の排泄物が排泄された場合や長時間（特に就寝中）ナプキンを装着するような場合であっても、液漏れが効果的に防止される。
【００１９】
上記吸収体４は、長方形の形状をしており、図３に示すように、パルプ層１１と、該パルプ層１１の一方の面側に配されたティッシュペーパー等の吸収紙１２と、該パルプ層１１の他方の面側に配された液不透過性シート１３とを具備している。そして該吸収体４は、該吸収紙１２が上記内層シート２側に位置し、上記液不透過性シート１３が上記外層シート３側に位置するように配されている。
【００２０】
上記パルプ層１１と上記吸収紙１２とは略同寸である。一方、上記液不透過性シート１３は、該パルプ層１１と略同長であり、幅は該パルプ層１１よりも若干長くなされており、該パルプ層１１の両側縁からそれぞれ左右方向へ延出している。そして、図３に示すように、該延出した部分がそれぞれ上記吸収紙１２側へ折り返されている。これによって、該吸収体４によって吸収された排泄物が外部へ漏出すること（特に吸収体４の左右両側部からの漏出）が効果的に防止される。
【００２１】
上記吸収体４は、夜用のショーツ型ナプキンとして使用する場合に、後漏れしない様にするためには、前後に長いことが好ましく、具体的にその長さは２００〜５００ｍｍであることが好適であり、特に３００〜４５０ｍｍ、とりわけ３００〜４００ｍｍであることが好適である。また、該吸収体４は、夜間着用時に着用者の寝姿が著しく変わっても該吸収体４が適正な着用位置からずれないようにするためには、幅広であることが好ましく、具体的にその幅は５０〜２００ｍｍであることが好適であり、更に５０〜１５０ｍｍ、特に６０〜１２０ｍｍ、とりわけ７０〜１００ｍｍであることが好適である。
【００２２】
ショーツ型ナプキン１を構成する各部材の材料について説明すると、上記内層シート２としては、親水性であり、排泄物を上記吸収体４へ透過させ得る液透過性のシートであって布様の感触を有するものが用いられる。斯かるシートとしては、親水性繊維から構成される不織布や、疎水性繊維から構成される不織布に親水化処理を施したもの、或いは熱可塑性樹脂等からなるプラスチックフィルムに多数の開孔を形成したもの等が用いられる。該内層シート２の坪量は、経血等の排泄物が該内層シート２を通して内部に吸収された後に逆戻りが起こりにくくする為に、１０〜４０ｇ／ｍ2 、特に２０〜３０ｇ／ｍ2 であることが好適である。
【００２３】
上記外層シート３としては、撥水性であり、透湿性を有し、排泄物を透過させ難いシートであって布様の感触を有するものが用いられる。斯かるシートとしては、疎水性繊維から構成される不織布、熱可塑性樹脂等からなるプラスチックフィルム、不織布とプラスチックフィルムとを積層・一体化した複合シート等が挙げられる。特に、該外層シートとして、全体に伸縮性を有するもの、例えば、伸縮性プラスチックフィルムと不織布とを積層・一体化した伸縮性複合シートや、ウレタン樹脂、ポリエチレン等からなる伸縮性メルトブローン不織布、或いは該メルトブローン不織布と他の不織布とを積層・一体化した伸縮性複合シート等を用いることが、ショーツ型ナプキン１のフィット性を一層向上させ得る点から好適である。該外層シート３の坪量は、経血等の排泄物を滲み出しにくくする為に、１０〜４０ｇ／ｍ2 、特に２０〜３０ｇ／ｍ2 であることが好適である。
【００２４】
上記吸収体４を構成する上記パルプ層１１としては、木材パルプ等を解繊して積繊したものや、解繊された木材パルプ等を高吸収性ポリマーの粒子と混合して積繊したもの等が用いられる。該高吸収性ポリマーの粒子としては、自重の２０倍以上の液体を吸収して保持し得る保持性能を有し、ゲル化する性質を有するものが好適に用いられ、その具体例としてはデンプン−アクリル酸（塩）グラフト重合体やデンプン−アクリロニトリル共重合体のケン化物等がある。上記パルプ層１１の坪量は、経血等の排泄物を十分に保持することができ且つ使用中に上記吸収体４が分裂することがないようにする為に、１００〜４００ｇ／ｍ2 であることが好適である。
また、上記吸収体４を構成する上記液不透過性シートとしては、ポリエチレンやポリプロピレン等の熱可塑性樹脂のフィルム等が用いられる。
【００２５】
上述したショーツ型ナプキン１は、フィット性が高く、液漏れ防止効果に優れているので、特に就寝中に装着するナプキンとして好適である。また、該ショーツ型ナプキン１を装着した上に更に生理用ショーツ等を着用する必要が無いので、快適な装着感が得られる（勿論、生理用ショーツ等を着用しても差し支え無い）。また、廃棄時には上記接合固定部６，６’（図１参照）を引き剥がせばよいので、廃棄も容易である。
【００２６】
次に、本発明のショーツ型ナプキンの製造方法を図４〜図６を参照して説明する。ここで、図４は、上記ショーツ型ナプキンを製造するための装置の一例を示す模式図であり、図５および図６は、該ショーツ型ナプキンの製造過程における状態を示す模式図である。
【００２７】
上記ショーツ型ナプキンは、図４に示す装置２０を用いて、下記の工程（イ）〜（ホ）を具備する製造方法によって好適に製造される。
（イ）長尺状の液体透過性内層シートと複数の吸収体とを所定間隔をおいて重ね合わせて両者をヒートシールし、該ヒートシールした部分に、該吸収体と該内層シートとが一体化した溝部を形成する工程。
（ロ）長尺状の液体不透過性外層シートを、上記吸収体が被覆されるように上記内層シートと重ね合わせて重ね合わせ体を形成すると共に、該重ね合わせ体の長手方向両側縁における該外層シートと該内層シートとの間に複数の長尺状弾性材を該重ね合わせ体の長手方向に沿ってそれぞれ配する工程。
（ハ）上記重ね合わせ体における隣り合う上記吸収体間で、上記内層シートと上記外層シートとを、円又は楕円の形状でヒートシールすると共に、該ヒートシールした部分の内側を打ち抜く工程。
（ニ）上記重ね合わせ体の長手方向に沿う中心線を折曲線として、該重ね合わせ体を上記内層シート側に折り返す工程。
（ホ）折り返された上記重ね合わせ体を、隣り合う上記吸収体間において、該重ね合わせ体の幅方向に亘ってヒートシールしてウエスト開口部および一対のレッグ開口部を形成すると共に、該ヒートシールした部分を切断する工程。
以下、これらの工程について図４〜図６を参照しつつそれぞれ説明する。
【００２８】
まず、上記工程（イ）においては、長尺状の上記内層シート２がロール（図示せず）から巻き出され、ホットメルトガン２１によって該内層シート２の所定の位置に所定の間隔をおいてホットメルトが塗布される。該内層シート２は、別工程において製造された吸収体４，４・・と合流部２２において合流し、該ホットメルトを介して重ね合わされ、接合される。
【００２９】
両者は、接合された状態でエンボス部２３に挿通される。該エンボス部２３は平滑ロール２３ａとエンボスロール２３ｂとから構成されており、該平滑ロール２３ａは、上記吸収体４に当接する側に設置されており、該エンボスロール２３ｂは、上記内層シート２に当接する側に設置されている。該エンボスロール２３ｂは、その表面に、図２に示す溝部１０，１０’の形状に対応する形状の突条（図示せず）が形成されていると共に、所定の温度に加熱可能になされている。両ロール２３ａ，２３ｂによる押圧および該エンボスロール２３ｂによる加熱によって、上記吸収体４および上記内層シート２は、上記突条の形状に対応した形状で部分的にヒートシールされ、該ヒートシールされた部分に該吸収体４と該内層シート２とが一体化した溝部１０，１０’（図２参照）が、該内層シート２側（即ち、ショーツ型ナプキン１における肌当接側）から形成される。
【００３０】
上記工程（ロ）においては、長尺状の上記外層シート３がロール（図示せず）から巻き出され、該外層シート３の長手方向に沿う両側縁部に、ホットメルトガン２４によってホットメルトがスパイラル状にそれぞれ塗布される。ホットメルトが塗布された上記両側縁部には、ロール（図示せず）から巻き出された複数本の長尺状弾性材９，９’が伸長状態（例えば、伸長率１２０％）でそれぞれ接合・固定される。
【００３１】
上記弾性材９，９’が接合・固定された上記外層シート３と、上記吸収体４と一体化した上記内層シート２とは、合流部２５で合流し、該吸収体４が被覆されるように該外層シート３と該内層シート２とが重ね合わされて、図５に示す重ね合わせ体２６が形成される。その結果、該重ね合わせ体２６においては、図５に示すように、該重ね合わせ体２６の長手方向に沿う両側縁部における該外層シート３と該内層シート２との間に、複数本の上記弾性材９．９’が、該重ね合わせ体２６の長手方向に沿って互いに略平行にそれぞれ配されることになる。
【００３２】
上記工程（ハ）においては、図５に示す重ね合わせ体２６における隣り合う上記吸収体４，４間の位置で、上記内層シート２と上記外層シート３とを、図４に示すヒートシールユニット２７によって部分的にヒートシールする。該ヒートシールは、図６に示すように円又は楕円の形状で行われる（図６においては、短軸が上記重ね合わせ体２６の長手方向と平行である楕円の形状）。
上記ヒートシールユニット２７は、金属性の平滑ロール２７ａとエンボスロール２７ｂとから構成されており、両者は何れも所定の温度に加熱可能になされている。尚、平滑ロール２７ａは、金属性のものに代えてゴム性のものを用いてもよい。また、エンボスロール２７ｂの表面には図６に示すヒートシールの形状に対応した形状の突起が多数形成されている。
【００３３】
次いで、上記ヒートシールユニット２７の直ぐ下流に位置するカッターユニット２８（図４参照）において、ヒートシールされた部分の内側がカットされて、図６に示すように、ヒートシールの形状と相似形の打ち抜き部２９，２９・・が形成される。上記カッターユニット２８としては、従来公知のロータリー・ダイ・カッター等が用いられる。
【００３４】
上記工程（ニ）においては、上記重ね合わせ体２６の長手方向に沿う中心線３０（図６参照）を折曲線として、該重ね合わせ体２６を内方へ（即ち、上記内層シート２の側へ）折り返す。折り返しは、図４に示す装置の２８の位置に設けられた従来公知の折り返し用案内板（図示せず）よって行われる。
【００３５】
上記工程（ホ）においては、折り返された上記重ね合わせ体を、図４に示すように、隣り合う上記吸収体間において、該重ね合わせ体の幅方向（即ち、該重ね合わせ体の搬送方向と直角方向）に亘り、ヒートシールユニット３２によってヒートシールする。ヒートシールされる部分は、図２に示すショーツ型ナプキン本体５における上記腹側部Ａの両側縁部Ａ１，Ａ２と、上記背側部Ｂの両側縁部Ｂ１，Ｂ２に対応する部分である。ヒートシールの結果、ショーツ型ナプキンにおけるウエスト開口部および一対のレッグ開口部が形成されることになる。
そして最後に、上記ヒートシールユニット３２の直ぐ下流に位置するカッターユニット３３（図４参照）において、ヒートシールされた部分が切断され、図１に示すショーツ型ナプキン１が得られる。尚、このようにして得られたショーツ型ナプキン１における幅方向は、上記重ね合わせ体における長手方向に一致し、また、該ショーツ型ナプキン１における長手方向は、該重ね合わせ体における幅方向に一致することとなる。
【００３６】
以上、本発明のショーツ型ナプキンをその好ましい実施形態に基づき説明したが、本発明は上記実施形態に制限されず、本発明の趣旨を逸脱しない範囲において種々の変更が可能である。
例えば、図１に示すショーツ型ナプキンにおいては、上記レッグ開口部８，８’が股下部からウエスト部に向かって切れ上がった形状をしているが、斯かる形状に代えて、該レッグ開口部８，８’を所謂トランクス型の形状となしてもよい。これによって、着用者に、液漏れに対する一層の安心感を与えることができる。
また、本発明の範囲外であるが、上記吸収体４と上記内層シート２との一体化として、例えば図７に示すように、上記内層シート２と、上記吸収体４における上記吸収紙１２側の全面とが、ヒートシールによる多数の接合部３２，３２，・・によって断続的に（例えば、点状に）固定されていてもよく、或いはヒートシールに代えてホットメルトによって固定されていてもよい。
また、上記吸収体４と上記外層シート３とをホットメルト等の接合手段によって接合し、着用者の動き等に起因する該吸収体４のヨレによる変形や位置ずれ等を一層防止するようにしてもよい。
また、左右のレッグ開口部８，８’に、その開口縁（周縁）に沿って一本または複数本の弾性材をそれぞれ配して身体とのフィット性を更に向上させてもよい。
【００３７】
【発明の効果】
以上、詳述した通り、本発明のショーツ型ナプキンは、フィット性が高く、吸収体のヨレによる変形や位置ずれが起こりにくい。従って、着用者に、液漏れに対する安心感を与えることができる。
特に、吸収体と内層シートとが一体化しているので、装着時や装着中に吸収体がヨレて変形したり、適正な位置からずれていることを容易に認識でき、しかも形状や位置の修正が容易である。
また、本発明のショーツ型ナプキンは、パンツ感覚で着用でき、ウイング付きナプキンよりも着用が容易である。
また、上記本体を構成する上記内層シート及び上記外層シートを不織布から構成すれば、着用中のムレが効果的に防止される。
【図面の簡単な説明】
【図１】  本発明の吸収性着用物品の一実施形態としてのショーツ型ナプキンの斜視図である。
【図２】  図１に示すショーツ型ナプキンの組立前の状態を内層シート側から見た一部破断展開図である。
【図３】  図２におけるａ−ａ線断面図である。
【図４】  ショーツ型ナプキンを製造するための装置の一例を示す模式図である。
【図５】  ショーツ型ナプキンの製造過程における状態を示す模式図である。
【図６】  ショーツ型ナプキンの製造過程における状態を示す模式図である。
【図７】  参考例のショーツ型ナプキンを示す図である。
【符号の説明】
１  ショーツ型ナプキン（吸収性着用物品）
２  液体透過性内層シート
３  液体不透過性外層シート
４  吸収体
５  本体
６，６  接合固定部
７  ウエスト開口部
８，８’レッグ開口部
９，９’弾性材
１０，１０’溝部
【図１】
0003874499.tif 000002
【図２】
0003874499.tif 000003
【図３】
0003874499.tif 000004
【図４】
0003874499.tif 000005
【図５】
0003874499.tif 000006
【図６】
0003874499.tif 000007
【図７】
0003874499.tif 000008